(57)【要約】      （修正有）【課題】蒸気タービンノズルアセンブリの調節可能な支持装置を開示する。【解決手段】一実施例において、蒸気タービン装置は、少なくとも部分的に前記ケーシング部分１３０内に収容されたダイアフラム部分１２０と、前記ケーシング部分１３０と前記ダイアフラム部分１２０との間の、調節可能な支持装置１４０とを含む。支持装置１４０は、前記ケーシング部分１３０と前記ダイアフラム部分１２０とに接触する楔状部材１５０と、支持部材１６０と、前記楔状部材１５０と前記支持部材１６０とに当接する調節部材１７０と、を含む。【選択図】図４
2011256866.tif 000002
【特許請求の範囲】
【請求項１】
ケーシング部分（１３０）と、
少なくとも部分的に前記ケーシング部分（１３０）内に収容されたダイアフラム部分（１２０）と、
前記ケーシング部分（１３０）と前記ダイアフラム部分（１２０）との間の、調節可能な支持装置（１４０）であって、
前記ケーシング部分（１３０）と前記ダイアフラム部分（１２０）とに接触する楔状部材（１５０）と、
支持部材（１６０）と、
前記楔状部材（１５０）と前記支持部材（１６０）とに当接する調節部材（１７０）と、を含む支持装置（１４０）と、
を有する蒸気タービン装置（１１０）。
【請求項２】
前記ケーシング部分（１３０）は、水平接合面（１８０）を有し、前記調節部材（１７０）は、前記水平接合面（１８０）の上方の位置から調節可能である、請求項１に記載の蒸気タービン装置（１１０）。
【請求項３】
前記調節部材（１７０）は、前記楔状部材（１５０）の位置を調節するように構成されている、請求項１に記載の蒸気タービン装置（１１０）。
【請求項４】
前記調節部材（１７０）は、前記調節部材（１７０）の調節の方向とは実質的に全く異なる方向に、前記楔状部材（１５０）の位置を調節するように構成されている、請求項３に記載の蒸気タービン装置（１１０）。
【請求項５】
少なくとも部分的に前記楔状部材（１５０）を支持する楔状部材ハウジング（２６０）を更に含み、前記楔状部材ハウジング（２６０）は、前記支持部材（１６０）に固定的に連結されている、請求項１に記載の蒸気タービン装置（１１０）。
【請求項６】
前記楔状部材ハウジング（２６０）は更に、前記ケーシング部分（１３０）に固定的に連結されている、請求項５に記載の蒸気タービン装置（１１０）。
【請求項７】
前記楔状部材（１５０）は、前記調節部材（１７０）に当接する第１の傾斜面（１５２）と前記第１の傾斜面（１５２）とは別の第２の傾斜面（１５４）とを有し、前記第２の傾斜面（１５４）は、前記ダイアフラム部分（１２０）に当接している、請求項１に記載の蒸気タービン装置（１１０）。
【請求項８】
前記ダイアフラム部分（１２０）は、前記楔状部材（１５０）の前記第２の傾斜面（１５４）に係合する棚状部（１２２）を含み、前記棚状部（１２２）は、前記第２の傾斜面（１５４）に対して実質的に補角を成す、請求項７に記載の蒸気タービン装置（１１０）。
【請求項９】
水平接合面（１８０）を有するケーシング（１３０）と、
前記ケーシング（１３０）内のロータ（２９）と、
少なくとも部分的に前記ケーシング（１３０）内に収容されたダイアフラム部分（１２０）と、
前記ケーシング部分（１３０）と前記ダイアフラム部分（１２０）との間の調節可能な支持装置（１４０）であって、
前記ケーシング部分（１３０）と前記ダイアフラム部分（１２０）とに接触する楔状部材（１５０）と、
少なくとも部分的に自身を貫通して延在する孔部を有する支持部材（１６０）と、
前記楔状部材（１５０）に当接し、少なくとも部分的に前記支持部材（１６０）の前記孔部内に配置された調節部材（１７０）と、を含む調節可能な支持装置（１４０）と、を有し、
前記調節部材（１７０）は、前記水平接合面（１８０）の上方の位置から前記楔状部材１５０）の位置を調節するように構成されている、蒸気タービン装置（１１０）。
【請求項１０】
水平接合面（１８２）と前記水平接合面（１８２）よりも下方の傾斜棚状部（１２２）とを有するダイアフラム部分（１２０）であって、前記傾斜棚状部（１２２）は、楔状部材（１５０）の補角部分（１５４）を受けるように構成されているダイアフラム部分（１２０）を含む、蒸気タービン装置（１１０）。
【発明の詳細な説明】
【技術分野】
【０００１】
本明細書に開示の主題は、蒸気タービンノズルアセンブリ、即ちダイアフラム段に関する。特に、本明細書に開示の主題は、蒸気タービンノズルアセンブリの調節可能な支持装置に関する。
【背景技術】
【０００２】
蒸気タービンは、回転するロータに接続されたタービンバケットへと作動流体の流れを導く静止ノズルアセンブリを含む。このノズル構造（複数のノズル又は「エアフォイル」を含む）は、「ダイアフラム」又は「ノズルアセンブリ段」とよばれることもある。蒸気タービンダイアフラムは、２つの半分体を含み、この半分体は、ロータの周りで組み合わされ、これら２つの半分体どうしの間には水平の接合部が創出される。各タービンダイアフラム段は、ダイアフラムの各側において、それぞれの水平接合部で支持棒、支持突起又は支持ねじにより垂直方向に支持される。ダイアフラムの水平接合部は、また、蒸気タービンダイアフラムを取り巻くタービンケーシングの水平接合部に相当する。
【先行技術文献】
【特許文献】
【０００３】
【特許文献１】米国特許第７３２９０９８Ｂ２号
【発明の概要】
【発明が解決しようとする課題】
【０００４】
支持棒は、通常、水平接合部付近において、ボルトによりダイアフラム段の下側半分体に対して水平に取り付けられている。典型的な支持棒は、ダイアフラム状に機械加工されたポケットに嵌合するトング部分を含む。この支持棒は、また、タービンケーシングの棚状部上に着座する細長部分も含む。ダイアフラムの保守作業では、ダイアフラムの下側半分体へのアクセスが必要になることがあるが、支持棒とダイアフラムの下側半分体をケーシングに結合させるセンタリングピンとが原因で、この下側半分体をタービンロータの周りで回転させることができなくなる。加えて、ダイアフラムの下側半分体を取り外して、下側半分体とケーシングの水平接合部とを整合させる必要があることもある。ダイアフラムの下側半分体にアクセスするには、時間とコストを要する多くの手順を踏まなければならないことがある。
【課題を解決するための手段】
【０００５】
調節可能な蒸気タービンノズル支持装置を開示する。一実施例において、蒸気タービン装置は、ケーシング部分と、少なくとも部分的にケーシング部分に収容されたダイアフラム部分と、ケーシング部分とダイアフラム部分との間の調節可能な支持装置とを含み、この調節可能な支持装置は、ケーシング部分とダイアフラム部分とに接触する楔状部材と、支持部材と、楔状部材と支持部材とに当接する調節部材とを含む。
【０００６】
本発明の第１の態様は、ケーシング部分と、少なくとも部分的にケーシング部分に収容されたダイアフラム部分と、ケーシング部分とダイアフラム部分との間の調節可能な支持装置とを含む蒸気タービン装置であって、調節可能な支持装置は、ケーシング部分とダイアフラム部分とに接触する楔状部材と、支持部材と、楔状部材と支持部材とに当接する調節部材とを含む、蒸気タービン装置を含む。
【０００７】
本発明の第２の態様は、水平接合面を有するケーシングと、ケーシング内のロータと、少なくとも部分的にケーシング内に収容されたダイアフラム部分と、ケーシング部分とダイアフラム部分との間の調節可能な支持装置とを含む蒸気タービン装置であって、調節可能な支持装置は、ケーシング部分とダイアフラム部分とに接触する楔状部材と、少なくとも部分的に自身を貫通する孔部を有する支持部材と、楔状部分と当接すると共に少なくとも部分的に支持部材の孔部内に配置される調節部材とを含み、調節部材は、水平接合面の上方から楔状部材の位置を調節するように構成されている、蒸気タービン装置を含む。
【０００８】
本発明の第３の態様は、水平接合面とこの水平接合面よりも下方の傾斜棚状部とを有するダイアフラム部分を含む蒸気タービン装置であって、傾斜棚状部は、楔状部材の補角部分を受けるように構成されている、蒸気タービン装置を含む。
【０００９】
本発明の種々の実施例を示す添付図面に関連した、本発明の様々な態様に関する下記の詳細な説明により、本発明の上記及びその他の特徴がより明確に理解できよう。
【図面の簡単な説明】
【００１０】
【図１】先行技術による複流蒸気タービンの部分概略断面図である。
【図２】先行技術による、水平分割面で接合された１対の環状ダイアフラムリング部分の端面の正面概略図である。
【図３】先行技術による蒸気タービンノズル支持部アセンブリの部分端面図である。
【図４】本発明の実施例による蒸気タービン装置の部分端面図である。
【図５】本発明の実施例による蒸気タービン装置の図４の線Ｂ−Ｂ’に沿った部分側面図である。
【図６】本発明の実施例による蒸気タービン装置の三次元斜視部分端面図である。
【図７】本発明の実施例による調節可能な支持装置の三次元斜視部分端面図である。
【図８】本発明の実施例による蒸気タービン装置の部分側面図である。
【発明を実施するための形態】
【００１１】
本発明の図面は、必ずしも縮尺通りではないことに留意されたい。図面では、本発明の典型的な態様を図示することを意図しているにすぎず、本発明の範囲を限定するものとみなされるべきではない。図面では、全図面を通して同様の要素を同様の符号で表している。
【００１２】
本発明の態様は、蒸気タービンノズルアセンブリの調節可能な支持装置を提供する。一実施例において、この調節可能な支持装置は、蒸気タービンケーシングと蒸気タービンダイアフラムとの相対位置を調節する、楔状部材と支持部材と調節部材とを含む。本発明の別の態様は、水平接合面とこの水平接合面の下方の傾斜棚状部とを有する、蒸気タービンの下側ダイアフラム部分を提供する。傾斜棚状部は、楔状部材の補角部分を受けるように構成される。
【００１３】
図１に、先行技術による複流蒸気タービン１０（例えば、低圧蒸気タービン）の部分概略断面図を示す。複流蒸気タービン１０は、第１及び第２のダイアフラムアセンブリ１６、１８（ケーシング部とケーシング部内に収容されるダイアフラムリング部分とを含む）によりそれぞれ取り巻かれた、第１の低圧（ＬＰ）部１２と第２のＬＰ部１４とを含み得る。図２に示すように、各ダイアフラムアセンブリ１６、１８は、水平接合面２４で接合された１対の半環状ダイアフラムリング部分２０、２２を含む。ダイアフラムリング部分２０、２２は、これもまた水平接合面２４で接合されたケーシング部分３０、３２内にそれぞれ収容される。各半環状ダイアフラムリング部分２０、２２は、当該技術分野において周知のように、半環状列を成すタービンノズル２６と内側ウェブ２８とを支持する。ダイアフラムリング部分２０、２２は、当該技術分野において周知のように、２つ合わせてロータ２９（破線で図示）を取り巻く。
【００１４】
次に図３に、先行技術による、蒸気タービンダイアフラム用の支持部アセンブリを示す。具体的には、図３は、下側タービンケーシング半分体（又は、単にケーシング）３０に固定的に連結された、図２の下側半環状ダイアフラムリング部分（又は、単に下側ダイアフラム部分）２２の部分拡大図である。下側ダイアフラム部分２２が、当該技術分野において周知のように、支持棒３２によりケーシング３０内で垂直方向に支持されることが示されている。支持棒３２は、この支持棒３２を貫通して延在するボルト３４により、下側ダイアフラム部分２２にボルト止めされる。少なくとも１本のボルト３４が、支持棒３２の半径方向内側に配向されたフランジ３６を貫通して延在する。フランジ３６は、下側ダイアフラム部分２２の嵌合スロット３８に受け入れられる。或いは、支持棒３２は、一側でケーシング３０に、他側でダイアフラム部分２２に沿って垂直方向に延在する。支持棒の下面４０は、ケーシング３０に形成されたショルダ部４２に面し、ショルダ部４２と下面４０との間には、シムブロック（又は単にシム）４４が介装されている。シム４４は、通常はケーシング３０にボルト止めされる。第２のシムブロック４６が支持棒３２の上面４８に着座しており、これによって、支持棒の上端部が、ケーシング３０及び下側ダイアフラム部分２２の水平接合面５０、５２にそれぞれ効果的に面一になることが示されている。この構成により、支持棒３２を、上側ケーシング部と下側ケーシング部との間に介装できる（上側ケーシングは図示せず）。下側ダイアフラム部分２２の他側も同様に、ケーシングの反対側において支持される（明瞭化のため、他側は図示せず）。
【００１５】
垂直方向のダイアフラムの整合（水平接合面５０、５２の整合）作業又はダイアフラム部分２２（及びこれに含まれる部品）の保守作業では、ケーシングの上側半分体を上側ダイアフラム部分２０（図２）と併せて除去する必要がある。更に、支持棒３２が下側ダイアフラム部分２２をケーシング３０に結合しており、且つ、ダイアフラムをケーシングに結合させるセンタリングピン（図示せず）があることが原因で、（クリアランスが不十分になるので）下側ダイアフラム部分２２をケーシング３０内に収容したまま、ロータ２９（図２）を中心に回転させることができない。このようにクリアランスが限られており、支持棒３２にボルト３４が配置され、センタリングピンがあることから、支持棒３２にアクセスしてダイアフラム２２をケーシング３０と整合させるには、下側ダイアフラム部分２２をケーシング３０から垂直方向に取り外す必要がある。そのためには、ロータ２９を除去し、その後に下側ダイアフラム部分２２を垂直方向に持ち上げて、ボルト３４を取り外す必要がある。この工程には時間とコストがかかる。
【００１６】
次に図４に、一実施例による蒸気タービン装置１１０を示す。本明細書において、図４〜６及び図８の左下部分の方向指標は、参照の便宜上表示されている。図示のように、この方向指標は、本明細書に記載の蒸気タービン装置の部分拡大図に関する方向指標である。例えば、図４〜６及び図８で用いる場合、「ｚ」軸は垂直方向（又は半径方向）の配向を表し、「ｘ」は水平方向（又は半径方向）の配向を表し、「Ａ」軸は軸方向の配向（明瞭化のため、タービンロータの軸に沿った方向は図示せず）を表す。
【００１７】
図４に示すように、蒸気タービン装置１１０は、ケーシング部分１３０と、少なくとも部分的にケーシング部分１３０内に収容されたダイアフラム部分１２０とを含み得る。図４にはまた、ケーシング部分１２０とダイアフラム部分１３０との間に配置された調節可能な支持装置１４０を示す。一実施例において、調節可能な支持装置１４０は、ケーシング部分１３０とダイアフラム部分１２０とに接触する楔状部材１５０と、支持部材１６０と、楔状部材１５０と支持部材１６０とに当接する調節部材１７０とを含む。図示のように、ケーシング部分１３０は水平接合面１８０を有し、ダイアフラム部分１２０は水平接合面１８２を有する。一実施例において、調節部材１７０は、一方又は両方の水平接合面１８０、１８０の上方の位置（例えば、位置１９０）から調節可能である。例えば、調節部材１７０がピン、ねじ、ボルト、棒、ロッド等の１つ以上を含み、支持部材１６０が調節部材１７０を受け入れる孔部を含む場合には、オペレータ（例えば人間のオペレータ、ロボット機構、コントローラ等）が、調節部材１７０の位置を水平接合面１８０、１８２の上方の位置１９０から調節できる。一実施例において、調節部材１７０は、垂直（ｚ軸）方向に調節される。別の実施例では、調節部材１７０は、ｚ−ｘ方向に斜め方向又はｚ−Ａ方向に斜め方向等の、垂直（ｚ軸）方向以外の方向に調節される。いずれにしても、調節部材１７０は、機械的な加力により楔状部材１５０の位置を調節するように構成される。例えば、一実施例において、調節部材１７０は、垂直（ｚ軸）方向に下方移動して、楔状部材１５０の第１の傾斜面１５２において楔状部材１５０に機械的な力を加えるように構成される。楔状部材１５０の第１の傾斜面１５２は、第２の傾斜面１５４に対して（９０度よりも大きい）鈍角（アルファ、α）に配向される。例えば、一実施例において、角度アルファ（α）は、約９０度よりも大きく、約１８０度よりも小さい。第２の傾斜面１５４は、楔状部材１５０の第３の面１５６に対して（９０度よりも大きい）鈍角（ベータ、β）に配向される（このとき、第３の面１５６は、ダイアフラム部分１２０の一部に面している）。例えば、一実施例において、角度ベータ（β）は、約９０度よりも大きく、約１８０度よりも小さい。第１の傾斜面１５２の角度（α）により、調節部材１７０によって加えられる下向き（ｚ方向）の力が、部分的に水平方向（ｘ方向）の力として楔状部材１５０に伝達される。この下向きの力の水平方向成分（水平方向の力）は、楔状部材１５０をダイアフラム部分１２０の方へと移動させる。この水平方向の力は、次に、楔状部材１５０の第２の傾斜面１５４において、楔状部材１５０からダイアフラム部分１２０に伝達される。特に、この水平方向の力の一部は、楔状部材１５０の第２の傾斜面１５４とダイアフラム部分１２０の傾斜棚状部１２２との接合部分に対して平行な力として、楔状部材１５０からダイアフラム部分１２０に伝達される。即ち、調節部材１７０により楔状部材１５０に加えられる下向きの力の一部は、後に１２２と１５４との間の滑り面に対して平行な力として伝達されることになる。この力によって、ケーシング部分１３０の水平接合面１８０��対して、ダイアフラム部分１２０の水平接合面１８２の位置を（ｚ方向上方に）調節できるようになる。逆に、調節部材１７０が垂直方向（ｚ方向上方）に移動すると、調節部材１７０により楔状部材１５０に加えられる力が減少し、ダイアフラム部分１２０の重さにより楔状部材１５０が半径方向外方（ｘ方向）に付勢される。これによって、ケーシング部分１３０の水平接合面１８０に対して、ダイアフラム部分１２０の水平接合面１８２の位置を（ｚ方向下方に）調節できるようになる。
【００１８】
別の実施例において、ダイアフラム部分１２０が（例えば、人間のオペレータにより）手動で上方に持ち上げられ、支持部材１６０が除去された後、楔状ブロック１５０が（例えば、人間のオペレータにより）手動で所望の位置まで操作される。これにより、ケーシング部分１３０の水平接合面１８０に対して、ダイアフラム部分１２０の水平接合面１８２の位置を、（ｚ方向下方に）手動で調節できるようになる。
【００１９】
図４に破線で示した代替実施例では、溝（例えば、キー溝）１３２がケーシング１３０に形成されており、楔状部材１５０に取り付けられた突出部材（例えば、キー、ピン、ダボ、リブ等）１５８と突出部材１５８に結合された圧縮弾性部材（例えば、ばね又は圧縮弾性材料）１６２を受け入れる。突出部材１５８は、突出部材１５８が楔状部材１５０の一部から機械加工される場合と同様、楔状部材１５０と連続していてもよい。突出部材１５８は、キー、ピン、又はダボ等の別途の部品であってもよい。いずれにしても、圧縮弾性部材１６２が突出部材１５８に（例えば溶接、クランプ等により）取り付けられ、ケーシング１３０に取り付けられた（又はケーシング１３０と連続する）第２の突出部材１６４に接触し、突出部材１５８に半径方向外側（ｘ方向）の力を（負のｘ方向に）付与する。第２の突出部材１６４は、突出部材１５８と実質的に同様であってもよいが、第２の突出部材１６４は、（楔状部材１５０ではなく）ケーシング１３０に取り付けられる（又はケーシング１３０と連続する）。調節部材１７０により下方に加えられる力が減じられる（例えば、調節部材を上方（ｚ方向）に移動させることによる）と、突出部材１５８に対する圧縮弾性部材１６２の力は、楔状部材１５０を半径方向外側（ｘ方向）に十分に移動さ得るものとなる。これにより、ケーシング部分１３０の水平接合面１８０に対して、ダイアフラム部分１２０の水平接合面１８２の位置を、（ｚ方向下方に）調節できるようになる。
【００２０】
本明細書に記載のように、一実施例では、調節部材１７０が、この調節部材１７０の調節の方向とは実質的に全く異なる方向に楔状部材１５０の位置を調節するように構成される。例えば、調節部材１７０が実質的に垂直（ｚ軸）方向の調節を行うように構成されている場合は、楔状部材１５０は、実質的に水平（ｘ軸）方向に移動するように構成される。一実施例において、ダイアフラム部分１２０の傾斜棚状部１２２は、楔状部材１５０の傾斜面１５４に対して実質的に補角を成す。本明細書で用いる場合、「補角」という用語は、面間の関係において、面どうしの一部が互いにほぼ整合するように構成される関係を指すものと理解されたい。例えば、一実施例において、ダイアフラム部分１２０の傾斜棚状部１２２に当接する楔状部材１５０の傾斜面１５４の部分は、互いにほぼ面一である（両者間には、殆ど又は全く間隙が無い）。また、一実施例において、傾斜棚状部１２２が、傾斜面１５４と面１５６との間の角度（角度ベータ、β）と実質的に同様の角度を有し得ることは、理解されよう。
【００２１】
いずれにしても、ケーシング部分１３０の水平接合面１８０に対するダイアフラム部分１２０の水平接合面１８２の位置の調節は、調節部材１７０を操作することによって行われる。本明細書に記載のように、調節部材１７０には、水平接合面１８０、１８２の上方の位置１９０から、（例えば、人間のオペレータ、ロボット的要素、又はその他の制御機構により）アクセス可能である。例えば、調節部材１７０は、ボルト頭を有するボルト又はねじ頭を有するねじである。この場合、人間のオペレータが、（レンチ又はその他の工具を補助的に使用して、又はこれを使用せずに）下向き又は上向き（且つ／又はねじり）の力をボルト頭又はねじ頭に加えることにより、ボルト又はねじの位置を調節できる。この人間のオペレータは、水平接合面１８０、１９２の上方の位置１９０から、ボルト頭又はねじ頭にアクセスできる。一実施例において、支持部材１６０が、自身を貫通して延在する孔部を有し、この孔部を通って、調節部材１７０が移動して楔状部材１５０の位置が調節されるように構成されている。例えば、一実施例では、支持部材１６０が、自身を貫通して延在する雌ねじ穴を内部に有し、調節部材１７０が、本明細書に記載のようなねじ頭を有するねじである。この場合、ねじ頭に回転力を加えることにより、調節部材１７０を上向きの方向（正のｚ方向）又は下向きの方向（負のｚ方向）のいずれにも調節できる。調節部材１７０は、クロムモリブデンバナジウム（ＣｒＭｏＶ）、クロムステンレス鋼（例えば、Ｃｒ４２２ＳＳ）等の組成物を含む金属、及び／又は繊維強化プラスチック（ＦＲＰ）等の複合材料を含み得る。調節部材１７０は、約０．２５インチ〜約２インチの直径を有し、約２インチ〜約４インチの長さを有する。楔状部材１５０は、クロムモリブデンバナジウム（ＣｒＭｏＶ）、クロムステンレス鋼（例えば、Ｃｒ４２２ＳＳ）等の組成物を含む金属、及び／又はＦＲＰ等の複合材料を含み得る。楔状部材１５０は、（例えば、自身を貫通して延在する孔部を有さない）実質的に単体構造であっても、或いは、楔状部材１５０は、自身を貫通して延在する１つ以上の孔部を有するラーメン骨組又はスケルトン構造を含んでいてもよい。一実施例において、楔状部材１５０は、例えば四角形の物体、三角形の物体、平行四辺形の物体、アーチ形又は湾曲状の縁部を有する物体を含む、複数の従属部品を含む。これらの従属部品は、実質的に同様の材料により形成されていてもよいが、その他の実施例では、実質的に異種の材料により形成されていてもよい。例えば、一実施例において、楔状部材１５０の異なる面（例えば第１の傾斜面１５２、第２の傾斜面１５４、及び／又は面１５６）どうしは、全く別の材料から成っており、こうすることで、これらの面と蒸気タービン装置１１０、２１０のその他の面との間の相互作用を改善できる。例えば、一実施例において、第１の傾斜面１５２が調節部材１７０と相互作用し、第２の面１５４が傾斜棚状部１２２と相互作用する場合に、第１の傾斜面１５２と第２の傾斜面１５４とに全く異なる材料を含める。一実施例では、接触面（面、棚状部）どうしの摩耗を低減するために、第１の傾斜面１５２、第２の傾斜面１５４、及び／又は傾斜棚状部１２２に（例えば、炭窒化チタン（ＴｉＣＮ）、窒化チタン（ＴｉＮ）等による）被覆を施してもよい。
【００２２】
一実施例において、調節可能な支持装置１４０は、ダイアフラム部分１２０に固定されていなくても（例えば、締結されなくても）よい。こうすることで、ダイアフラム部分１２０の機械加工を、先行技術の支持棒（例えば、図３の支持棒）の場合に比べて削減できる。即ち、調節可能な支持装置１４０により、ダイアフラム部分１２０に支持棒を結合させるボルト又はねじを受け入れる孔部を穴あけ加工又はその他の方法で形成する必要性が低くなる。
【００２３】
次に図５に、蒸気タービン装置１１０の一部の側面図を示す。図５に示すように、一実施例において、支持部材１６０は、例えば１つ以上の締結具２７０によりケーシング部分１３０に固定的に連結される。締結具２７０は、支持部材１６０をケーシング部分１３０に結合させるように構成された、いかなる従来式の部品であってもよい。例えば、締結具２７０は、ボルト、ピン、ロッド等であってよい。一実施例において、締結具２７０を使用するには、例えば穴あけ加工によりケーシング部分１３０を機械加工して、締結具２７０を受け入れる孔部を形成することが必要なこともある。一実施例では、締結具２７０が、約１インチ〜約２インチの（ｚ方向の）長さを有する。
【００２４】
図６に、一実施例による、調節可能な支持装置２４０を含む蒸気タービン装置２１０の部分切取図を示す。図示のように、蒸気タービン装置２１０と調節可能な支持装置２４０とは、図４〜５の蒸気タービン装置１１０及び調節可能な支持装置１４０を参照しながら図示及び説明した部品を含み得る。ただし、調節可能な支持装置２４０に更に、少なくとも部分的に楔状部材１５０を収容する楔状部材ハウジング２６０を含めてもよい。楔状部材ハウジング２６０は、楔状部材１５０を支持するように構成されたいかなる材料によって形成されてもよく、図４〜５の蒸気タービン装置１１０に比べて、ケーシング部分１３０の機械加工を削減できる。即ち、楔状部材ハウジング２６０により、支持部材１６０をケーシング部分１３０に固定的に連結させることなく、楔状部材１５０の位置を、支持部材１６０と調節部材１７０とにより調節できるようになる。図７に示すように、調節可能な支持装置２４０は、支持部材１６０に固定的に連結された楔状部材ハウジング２６０を含み得る。楔状部材ハウジング２６０と支持部材１６０とは、（例えば、１つ以上のボルト、ねじ、ピン等の）締結具３７０により固定的に連結される。楔状部材ハウジング２６０を用いる実施例は、支持部材１６０をケーシング部分１３０に固定的に直接連結するための締結具２７０（図５）を必要としないので、ケーシング部分１３０の機械加工を削減できる。
【００２５】
この調節可能な支持装置２４０（図６〜７）と調節可能な支持装置（図４〜５）との相違を、調節可能な支持装置２４０を含む蒸気タービン装置２１０の部分側断面図である図８に更に示す。図示のように、支持部材１６０は、楔状部材ハウジング２６０に固定的に（例えば、締結具３７０により）連結されている。ただし、支持部材１６０は、ケーシング部分１３０には直接結合されない。一実施例において、楔状部材ハウジング２６０は、ケーシング部分１３０に固定的に連結される。例えば、楔状部材ハウジング２６０は、別途に締結具４７０により、ケーシング部分１３０に固定的に連結されていてもよい。一実施例において、締結具４７０は、楔状部材ハウジング２６０とケーシング部分１３０とを固定的に連結させ得る、任意の材料により形成されたダボである。別の実施例において、締結具４７０は、ボルト、ねじ等であってよい。締結具４７０がダボを含む場合は、ケーシング部分１３０に必要な機械加工は最小限となる。当該技術分野において周知のように、ダボは小さい（短い）相補的な孔部に適合する大きさである。一実施例において、ダボは、（ｚ方向に）約０．５インチ〜約１インチの長さを有する。この場合、ケーシング部分１３０に機械加工される相補的な孔部は、約０．６６７インチ〜約１．１インチの深さであってよい。いずれにしても、調節可能な支持装置２４０によって、水平接合面１８０、１８２の上方の位置１９０から、楔状部材１５０の位置の調節が（例えば、ボルト頭、ねじ頭、又は調節部材１７０の端部にアクセスして、その位置を操作することにより）できるようになる。更に、調節可能な支持装置１４０（図４〜５）の場合のように、調節可能な支持装置２４０によって、ダイアフラム部分１２０に支持棒を連結するボルト又はねじを受け入れる孔部を、穴あけ加工又はその他の方法で形成する必要性が低くなる。
【００２６】
ここで使用した専門用語は、特定の実施例を説明するためのものにすぎず、本開示を限定することを意図したものではない。ここで用いる場合、「ａ」「ａｎ」「ｔｈｅ」といった単数形は、文脈において別途明記しない限り、同様に複数形のものも含むことを意図している。また、「有する」及び／又は「含む」といった表現は、本明細書で用いられる場合、記載した特徴、整数、ステップ、操作、要素、及び／又は部品の存在を示すものであって、その他の特徴、整数、ステップ、操作、要素、部品、及び／又はその組合せの存在、或いは、これらが１つ以上追加されることを除外するものではないことを理解されたい。
【００２７】
本明細書では、最適の態様を含めた例を用いて本発明を開示しているが、これによってまた、当業者には、任意の装置又はシステムの作製及び使用、並びにこれに付随する任意の方法の実施も含めた本発明を実施が可能になる。本発明の特許請求の範囲は請求項に定義されているが、この範囲には、当業者に想到可能なその他の例も含まれ得る。こうしたその他の例は、請求項の文言と相違ない構成要素を有する場合、或いは、請求項の文言と実質的に異ならない同等の構成要素を有する場合、本発明の特許請求の範囲に含まれることを意図している。
【符号の説明】
【００２８】
１０  複流蒸気タービン
１２  第１のＬＰ部
１４  第２のＬＰ部
１６  第１のダイアフラムアセンブリ
１８  第２のダイアフラムアセンブリ
２０  半環状ダイアフラムリング部分
２２  半環状ダイアフラムリング部分
２４  水平接合面
２６  タービンノズル
２８  内側ウェブ
２９  ロータ
３０  ケーシング
３２  支持棒
３４  ボルト
３６  フランジ
３８  スロット
４０  下面
４２  ショルダ部
４４  シム
４８  上面
５０  （ケーシングの）水平接合面
５２  （ダイアフラムの）水平接合面
１１０  蒸気タービン装置
１２０  ダイアフラム部分
１２２  傾斜棚状部
１３０  ケーシング部分
１３２  溝
１４０  調節可能な支持装置
１５０  楔状部材
１５２  第１の傾斜面
１５４  第２の傾斜面
１５６  第３の面
１５８  突出部材
１６０  支持部材
１６２  弾性部材
１６４  第２の突出部材
１７０  調節部材
１８０  （ケーシングの）水平接合面
１８２  （ダイアフラムの）水平接合面
１９０  位置
２４０  調節可能な支持装置
２６０  楔状部材ハウジング
２７０  締結具
３７０  締結具
４７０  締結具
【図１】
2011256866.tif 000003
【図２】
2011256866.tif 000004
【図３】
2011256866.tif 000005
【図４】
2011256866.tif 000006
【図５】
2011256866.tif 000007
【図６】
2011256866.tif 000008
【図７】
2011256866.tif 000009
【図８】
2011256866.tif 000010